【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
通信ネットワークを介して接続されたユーザの端末において、前記ユーザのユーザＩＤデータに関連付けて記憶されているキャラクタの着せ替えを行うためのサーバであって、
前記ユーザのユーザＩＤデータを管理するユーザテーブルと、
前記キャラクタのキャラクタデータを構成するためのアイテムを示すアイテムＩＤデータに関連付けてアイテムデータを格納するアイテムテーブルと、
前記アイテムＩＤデータを前記ユーザＩＤデータに関連付けて格納するアバターテーブルと、
を記憶する記憶部を備え、
前記ユーザのうち、プレゼントの送り手側のユーザにより選択された前記プレゼントの受け手側のユーザのユーザＩＤデータを、前記送り手側のユーザの端末から受け付けるユーザＩＤ受付手段と、
前記ユーザＩＤ受付手段により受け付けた前記受け手側のユーザのユーザＩＤデータに基づいて前記アバターテーブルを参照し、前記受け手側のユーザのユーザＩＤデータに関連付けられているアイテムＩＤデータに基づいてさらに前記アイテムテーブルを参照し、当該アイテムＩＤデータが示すアイテムデータを前記送り手側のユーザの端末に送信するキャラクタデータ送信手段と、
前記送り手側のユーザの端末において前記送信したアイテムデータの組み合わせにより構成されるキャラクタデータを更新するために、前記アイテムテーブルに含まれるアイテムデータを送信するアイテムデータ送信手段と、を備えるサーバ。
【請求項２】
前記送り手側のユーザの端末からの前記送信したアイテムデータのうち前記送り手側のユーザによるアイテムの選択結果を示すデータを受信したことに応じて、前記選択結果に基づいて前記キャラクタデータを構成するためのアイテムを示すアイテムＩＤデータの組み合わせを更新し、前記受け手側のユーザのユーザＩＤデータとともに前記送り手側のユーザのユーザＩＤデータに関連付けてプレゼントデータとしてアバターテーブルに格納するプレゼント記憶手段をさらに備える請求項１に記載のサーバ。
【請求項３】
前記プレゼント記憶手段により更新したアイテムＩＤデータの組み合わせを格納したことに応じて、前記受け手側のユーザに前記プレゼントデータに基づくキャラクタを表示するために、前記プレゼントデータに含まれるアイテムＩＤデータに基づいて前記アイテムテーブルを参照し、当該アイテムＩＤデータが示すアイテムデータを前記受け手側のユーザの端末に送信するプレゼント送信手段をさらに備える請求項２に記載のサーバ。
【請求項４】
前記プレゼント送信手段は、前記送り手側のユーザによるアイテムの選択結果を示すデータに基づいて、前記送り手側のユーザに選択をされたアイテムのアイテムＩＤデータに基づいてアイテムテーブルを参照し、当該アイテムＩＤデータが示すアイテムデータを前記受け手側のユーザの端末に送信する請求項３に記載のサーバ。
【請求項５】
前記送り手側のユーザの端末からコメントデータを受信したことに応じて、前記プレゼント記憶手段は、受信した前記コメントデータを、前記受け手側のユーザのユーザＩＤデータとともに前記送り手側のユーザのユーザＩＤデータに関連付けてアバターテーブルに格納し、
前記プレゼント送信手段は、前記受け手側のユーザの端末に前記コメントデータを前記アイテムデータとともに送信する請求項３または請求項４に記載のサーバ。
【請求項６】
前記アイテムテーブルは、前記アイテムＩＤデータに前記アイテムデータの属性データをさらに関連づけて格納しており、
前記アイテムデータ送信手段は、前記送り手側のユーザの端末からの属性データの指定を示すデータを受信したことに応じて、前記アイテムテーブルを参照し、受信した前記属性データに関連度の高いアイテムデータを優先的に抽出して前記送り手側のユーザの端末に送信する請求項１乃至請求項５に記載のサーバ。
【請求項７】
前記アイテムテーブルは、予め定められた推奨するアイテムの組み合わせを示すために、当該アイテムの組み合わせに含まれる一方のアイテムＩＤデータを他方のアイテムＩＤデータに関連付けてコーディネートデータとしてさらに格納しており、
前記アイテムデータ送信手段は、前記受け手側のユーザのキャラクタデータを構成するアイテムＩＤデータに関連付けられ、前記コーディネートデータとして格納されている前記アイテムＩＤデータが示すアイテムデータを前記送り手側のユーザの端末に送信する請求項１乃至請求項６に記載のサーバ。
【請求項８】
前記送り手側のユーザの端末からのアイテムの選択結果を示すデータを受け付けたことに応じて、前記選択結果に基づいて、選択された前記アイテムＩＤデータを前記コーディネートデータとして前記アイテムテーブルにさらに格納するコーディネートデータ更新手段をさらに備える請求項７に記載のサーバ。
【請求項９】
サーバと通信ネットワークを介して接続されたユーザの端末において、前記ユーザのユーザＩＤデータに関連付けて記憶されているキャラクタの着せ替えを行うための方法であって、
前記サーバは、前記ユーザのユーザＩＤデータを管理するユーザテーブルと、
前記キャラクタのキャラクタデータを構成するためのアイテムを示すアイテムＩＤデータに関連付けてアイテムデータを格納するアイテムテーブルと、
前記アイテムＩＤデータを前記ユーザＩＤデータに関連付けて格納するアバターテーブルと、
を記憶する記憶部を備え、
前記ユーザのうち、プレゼントの送り手側のユーザにより選択された前記プレゼントの受け手側のユーザのユーザＩＤデータを、前記送り手側のユーザの端末から受け付けるステップと、
前記受け手側のユーザのユーザＩＤデータに基づいて前記アバターテーブルを参照し、前記受け手側のユーザのユーザＩＤデータに関連付けられているアイテムＩＤデータに基づいてさらに前記アイテムテーブルを参照し、当該アイテムＩＤデータが示すアイテムデータを前記送り手側のユーザの端末に送信するステップと、
前記送り手側のユーザの端末において前記送信したアイテムデータの組み合わせにより構成されるキャラクタデータを更新するために、前記アイテムテーブルに含まれるアイテムデータを送信するステップと、を含む方法。
【請求項１０】
ユーザの端末と通信ネットワークを介して接続されたサーバに、前記ユーザのユーザＩＤデータに関連付けて記憶されているキャラクタの着せ替えを行わせるプログラムであって、
前記サーバは、前記ユーザのユーザＩＤデータを管理するユーザテーブルと、
前記キャラクタのキャラクタデータを構成するためのアイテムを示すアイテムＩＤデータに関連付けてアイテムデータを格納するアイテムテーブルと、
前記アイテムＩＤデータを前記ユーザＩＤデータに関連付けて格納するアバターテーブルと、
を記憶する記憶部を備えており、
前記サーバに、
前記ユーザのうち、プレゼントの送り手側のユーザにより選択された前記プレゼントの受け手側のユーザのユーザＩＤデータを、前記送り手側のユーザの端末から受け付けさせるステップと、
前記受け手側のユーザのユーザＩＤデータに基づいて前記アバターテーブルを参照し、前記受け手側のユーザのユーザＩＤデータに関連付けられているアイテムＩＤデータに基づいてさらに前記アイテムテーブルを参照し、当該アイテムＩＤデータが示すアイテムデータを前記送り手側のユーザの端末に送信させるステップと、
前記送り手側のユーザの端末において前記送信したアイテムデータの組み合わせにより構成されるキャラクタデータを更新するために、前記アイテムテーブルに含まれるアイテムデータを送信させるステップと、を実行させるプログラム。
【手続補正２】
【補正対象書類名】明細書
【補正対象項目名】００４９
【補正方法】削除
【補正の内容】
【手続補正３】
【補正対象書類名】明細書
【補正対象項目名】００５０
【補正方法】削除
【補正の内容】
【手続補正４】
【補正対象書類名】明細書
【補正対象項目名】００５１
【補正方法】削除
【補正の内容】
【手続補正５】
【補正対象書類名】明細書
【補正対象項目名】００５２
【補正方法】削除
【補正の内容】
【手続補正６】
【補正対象書類名】明細書
【補正対象項目名】００５３
【補正方法】削除
【補正の内容】
【手続補正７】
【補正対象書類名】明細書
【補正対象項目名】００５４
【補正方法】削除
【補正の内容】
【手続補正８】
【補正対象書類名】明細書
【補正対象項目名】００５５
【補正方法】削除
【補正の内容】
【手続補正９】
【補正対象書類名】明細書
【補正対象項目名】００５６
【補正方法】削除
【補正の内容】
【手続補正１０】
【補正対象書類名】明細書
【補正対象項目名】００５７
【補正方法】削除
【補正の内容】
【手続補正１１】
【補正対象書類名】明細書
【補正対象項目名】００５８
【補正方法】削除
【補正の内容】
【手続補正１２】
【補正対象書類名】明細書
【補正対象項目名】００５９
【補正方法】削除
【補正の内容】
【手続補正１３】
【補正対象書類名】明細書
【補正対象項目名】００６０
【補正方法】削除
【補正の内容】
【手続補正１４】
【補正対象書類名】明細書
【補正対象項目名】００６１
【補正方法】削除
【補正の内容】
【手続補正１５】
【補正対象書類名】明細書
【補正対象項目名】００６２
【補正方法】削除
【補正の内容】
【手続補正１６】
【補正対象書類名】明細書
【補正対象項目名】００６３
【補正方法】変更
【補正の内容】
【００６３】
（１０）ユーザの端末と通信ネットワークを介して接続されたサーバに、前記ユーザのユーザＩＤデータに関連付けて記憶されているキャラクタの着せ替えを行わせるプログラムであって、
前記サーバは、前記ユーザのユーザＩＤデータを管理するユーザテーブルと、
前記キャラクタのキャラクタデータを構成するためのアイテムを示すアイテムＩＤデータに関連付けてアイテムデータを格納するアイテムテーブルと、
前記アイテムＩＤデータを前記ユーザＩＤデータに関連付けて格納するアバターテーブルと、
を記憶する記憶部を備えており、
前記サーバに、
前記ユーザのうち、プレゼントの送り手側のユーザにより選択された前記プレゼントの受け手側のユーザのユーザＩＤデータを、前記送り手側のユーザの端末から受け付けさせるステップと、
前記受け手側のユーザのユーザＩＤデータに基づいて前記アバターテーブルを参照し、前記受け手側のユーザのユーザＩＤデータに関連付けられているアイテムＩＤデータに基づいてさらに前記アイテムテーブルを参照し、当該アイテムＩＤデータが示すアイテムデータを前記送り手側のユーザの端末に送信させるステップと、
前記送り手側のユーザの端末において前記送信したアイテムデータの組み合わせにより構成されるキャラクタデータを更新するために、前記アイテムテーブルに含まれるアイテムデータを送信させるステップと、を実行させるプログラム。